(57)【特許請求の範囲】
【請求項１】
エレベータの乗場またはかご内に設置され、行先階の階数の数字がそれぞれ内側に描かれる図形からなる行先階表示の選択表示が可能な画面を有する表示部と、上記図形の間に隙間が介在するようにして登録中の行先階の行先階表示だけをマトリックス状に整列し上記画面上に表示する表示制御部と、
エレベータ制御装置から送られる登録行先階情報に新たに登録された行先階の情報が含まれているか否か、または上記登録行先階情報に新たに登録取消された行先階の情報が含まれているか否かを確認する登録行先階確認手段と、
新たに登録された行先階の情報が含まれているとき予め定められた順序に従って上記画面上の上記登録行先階の表示位置を算出し、新たに登録取消された行先階の情報が含まれているとき該登録取消された行先階の行先階表示が削除されるように予め定められた順序に従って上記画面上の上記登録取消された行先階を除く既登録行先階の行先階表示の表示位置を算出する行先階表示位置算出手段と、
を有し、
上記表示制御部は、上記画面上の算出された表示位置に行先階表示を表示し、
上記行先階表示位置算出手段は、上記登録行先階のうち下層階から上層階の順序で、または上層階から下層階の順序で上記登録行先階の行先階表示が行に階段状に下から上にまたは上から下に並べられるとともに行が下から上にまたは上から下に並べられるように行先階表示の表示位置を算出することを特徴とするエレベータ行先階表示装置。
【請求項２】
上記行先階表示位置算出手段は、隣接して表示される２つの行先階表示に係わる２つの行先階の遠近に従って上記２つの行先階表示の上記図形の間の隙間が異なるように２つの行先階表示の表示位置を算出し、または遠近の程度を表す表示が上記２つの行先階表示の間に挿入されるように２つの行先階表示の表示位置を算出することを特徴とする請求項１に記載するエレベータ行先階表示装置。
【請求項３】
上記表示部の画面の前方に配置され、触れられることにより触れられた位置に重畳する上記画面の行先階表示が選択されるタッチパネルセンサと、
上記タッチパネルセンサに触れられて選択された行先階表示に係わる登録行先階の登録の取消をエレベータ制御裝置に要求する登録取消要求手段と、
を有することを特徴とする請求項１に記載するエレベータ行先階表示装置。
【請求項４】
上記登録取消要求手段は、上記タッチパネルセンサに間欠的に２回触れられて選択された行先階表示に係わる登録行先階の登録の取消をエレベータ制御装置に要求することを特徴とする請求項３に記載するエレベータ行先階表示装置。
【請求項５】
上記表示部は、行先階を登録するために入力される登録階に係わる情報が表示される登録表示部を有することを特徴とする請求項１乃至４のいずれか一項に記載するエレベータ行先階表示装置。
【発明の詳細な説明】
【０００１】
【技術分野】
この発明は、行先階選択釦により登録された行先階を表示して案内を行うエレベータ行先階表示装置に関する。
【０００２】
【背景技術】
従来のエレベータ操作盤は、特開平６−１９１７５３号公報に記載するように、タッチパネルが前面に配置されたディスプレイ上に行先階を登録するための操作釦が位置を固定して表示されている。タッチパネルに乗客が触れることにより行先階が登録され、さらに該タッチパネルの位置の操作釦の色が変わることで、登録階であることを乗客が理解でき、機械式釦と同様な操作性が得られる。
【０００３】
しかし、操作釦の表示位置が固定配置され、かつすべての階床分の操作釦が表示されているので、機械式釦と同様に、停止階数が多くなったとき、増えた操作釦を適切なサイズのディスプレイ上に表示することが困難である。それ以上の停止階数を表示しようとすると、ディスプレイのサイズが大きくなりすぎるという問題がある。また、表示された行先階を乗客が探すことも数が多いので困難になるという問題がある。
【０００４】
また、特開平５−４３１５８号公報に記載するように、デジタル表示器に登録階を階床順に表示するもので、表示が縦１列配列および上詰めにされているので、デジタル表示器の設置位置の制限があるという問題がある。
【０００５】
また、特開平８−１７５７７０号公報に記載するように、呼び登録がテンキーを用いて行われ、登録階の表示が表示器を用いて行われる呼び登録装置が提案されている。登録用のテンキーと登録階の表示用の表示器とが分離されているので、別々の機器を配置するために広い設置面積が必要になり、さらに、コストもかかるという問題がある。
【０００６】
【発明の概要】
【発明が解決しようとする課題】
この発明の目的は、必要とする表示面積が小さくて済み、行先階を容易に視認することができて設置の自由度の大きなエレベータ行先階表示装置を提供することである。
【０００７】
【課題を解決するための手段】
この発明に係わるエレベータ行先階表示装置は、エレベータの乗場またはかご内に設置され、行先階の階数の数字がそれぞれ内側に描かれる図形からなる行先階表示の選択表示が可能な画面を有する表示部と、上記図形の間に隙間が介在するようにして登録中の行先階の行先階表示だけをマトリックス状に整列し上記画面上に表示する表示制御部と、エレベータ制御装置から送られる登録行先階情報に新たに登録された行先階の情報が含まれているか否か、または上記登録行先階情報に新たに登録取消された行先階の情報が含まれているか否かを確認する登録行先階確認手段と、新たに登録された行先階の情報が含まれているとき予め定められた順序に従って上記画面上の上記登録行先階の表示位置を算出し、新たに登録取消された行先階の情報が含まれているとき該登録取消された行先階の行先階表示が削除されるように予め定められた順序に従って上記画面上の上記登録取消された行先階を除く既登録行先階の行先階表示の表示位置を算出する行先階表示位置算出手段と、を有し、上記表示制御部は、上記画面上の算出された表示位置に行先階表示を表示し、上記行先階表示位置算出手段は、上記登録行先階のうち下層階から上層階の順序で、または上層階から下層階の順序で上記登録行先階の行先階表示が行に階段状に下から上にまたは上から下に並べられるとともに行が下から上にまたは上から下に並べられるように行先階表示の表示位置を算出する。
【０００８】
【発明の効果】
このようなエレベータ行先階表示装置の効果は、登録中の行先階の行先階表示だけが表示されるので、行先階表示を表示するために必要な画面の面積が小さくて済み、また表示されている行先階表示が少ないので乗客が容易に登録中の行先階を確認することができる。
【０００９】
【図面の簡単な説明】
【図１】この発明の実施の形態１に係わるエレベータ行先階表示装置の全体構成図である。
【図２】実施の形態１のエレベータ行先階表示装置のマイコンの機能ブロック図である。
【図３】実施の形態１に係わる行先階表示を説明するための図である。
【図４】実施の形態１に係わる行先階表示を表示する位置について説明するための図である。
【図５】実施の形態１の図面に表示された行先階表示の例を示す図である。
【図６】実施の形態１のエレベータ行先階表示装置を用いた行先階表示を表示する手順を示すフローチャートである。
【図７】この発明の実施の形態２に係わるエレベータ行先階表示装置の全体構成図である。
【図８】実施の形態２のエレベータ行先階表示装置のマイコンの機能ブロック図である。
【図９】図７の表示部およびタッチパネルセンサを示す斜視図である。
【図１０】実施の形態２における行先階の登録の取消の手順を示すフローチャートである。
【図１１】この発明の実施の形態３の図面に表示された行先階表示の例を示す図である。
【図１２】この発明の実施の形態４の図面に表示された行先階表示の例を示す図である。
【図１３】この発明の実施の形態５の図面に表示された行先階表示の例を示す図である。
【図１４】この発明の実施の形態６の表示部の表示の例を示す図である。
【発明を実施するための最良の形態】
【００１０】
実施の形態１．
図１は、この発明の実施の形態１に係わるエレベータ行先階表示装置の全体構成図である。図２は、実施の形態１のエレベータ行先階表示装置のマイコンの機能ブロック図である。図３は、実施の形態１に係わる行先階表示を説明するための図である。図４は、実施の形態１に係わる行先階表示を表示する位置について説明するための図である。
エレベータ行先階表示装置（以下、行先階表示装置と略称する。）１は、乗場や乗りカゴ内に１つ以上設置されている。複数の行先階表示装置１は、エレベータ制御装置２と通信路３を介して接続されている。行先階表示装置１は、行先階の登録に関する情報をエレベータ制御装置２との間で送受信する。
エレベータ制御装置２は、乗客が行先階登録装置１１を操作して入力する行先階を登録行先階として登録し、登録行先階に基づいてエレベータの乗りカゴを運行する。さらに、必要に応じて登録行先階の情報を行先階表示装置１に送信する。
【００１１】
行先階表示装置１は、行先階の階数を表す数字およびその数字を修飾する図形から構成される行先階表示が表示される表示部４、表示部４での行先階表示の表示を制御する表示制御部５、表示される行先階表示の情報およびその行先階表示が表示される位置に係わる情報が格納される表示情報格納部６、エレベータ制御装置２との間の通信を制御する通信部７、行先階表示装置１全体を制御するマイコン８、プログラム格納用メモリ９および作業用メモリ１０を有している。
【００１２】
なお、プログラム格納用メモリ９、作業用メモリ１０および表示情報格納部６は、ハードディスクドライブ、不揮発性メモリまたは随時書込み保持動作の必要なメモリなどから構成されている。
また、これ以外にも、プログラム格納用メモリ９、作業用メモリ１０および表示情報格納部６は、どのような記憶装置や記憶素子で構成されてもよい。また、プログラム格納用メモリ９、作業用メモリ１０および表示情報格納部６は、１つにまとめられて記憶装置や素子の内部に構成してもよい。
また、プログラム格納用メモリ９、作業用メモリ１０、表示情報格納部６、表示制御部５および通信部７は、マイコン８に内蔵して構成してもよい。
【００１３】
マイコン８は、図２に示すように、エレベータ制御装置２が送る登録行先階の情報に新たに登録された行先階に係わる情報が含まれているか否か、または登録行先階の情報に新たに登録取消された行先階に係わる情報が含まれているか否かを確認する登録行先階確認手段７１と、新たに登録された行先階の情報が含まれているとき予め定められた順序に従って登録行先階の表示位置を算出し、また、新たに登録取消された行先階の情報が含まれているときその登録取消された行先階の行先階表示が削除されるように予め定められた順序に従って登録取消された行先階を除き既登録行先階の行先階表示の表示位置を算出する行先階表示位置算出手段７２と、を有する。
【００１４】
表示部４は、図３に示すように、液晶ディスプレイで構成された１つの画面１２を有し、その画面１２の任意な位置に図形と文字とが組み合わせた表示を表示することができる。表示の位置は、行先階表示位置算出手段７２により算出され、それが表示制御部５に入力される。表示制御部５は、その表示の位置の情報に基づき画面１２上のその位置に表示を表示する。
なお、液晶ディスプレイ以外にも、プラズマディスプレイ、ＬＥＤ、ブラウン管など文字や図形が表示できる表示器であればどのような物でもよい。
【００１５】
画面１２に表示される行先階の階数を表す表示（以下、行先階表示と称す。）は、４角形の図形および行先階の階数の数字が組み合わされたものである。４角形の図形の色は、図面の背景の色と異なっている。そして、各行先階表示は、表示制御部５により画面１２の予め定められた位置に重ならないように表示される。図面１２上の表示の位置は、縦と横のアドレスを指定することにより指定することができる。
なお、これ以後の説明において、行先階表示は、４角形の図形の内部に数字が描かれた表示とするが、この表示は説明のための１例であり、この表示に限るものではない。例えば、丸、３角形などの図形の中に数字を描いてもよい。また、数字だけを用いた表示でもよい。
【００１６】
表示制御部５は、これらの情報に基づき画面１２に行先階表示を表示する。
なお、エレベータの行先階登録は、乗りカゴ内または乗場に備えられた行先階登録装置１１を乗客が操作することにより行われる。乗客が乗りカゴ内に備えられた行先階登録装置１１の行先階釦を押すことにより、行先階に係わる情報がエレベータ制御装置２に送信される。また、乗客が乗場に備えられた行先階登録装置１１としての呼び釦を押すことにより、その乗場を行先階とした情報がエレベータ制御装置２に送信される。エレベータ制御装置２は、これらの情報に基づいて登録行先階の登録を行う。
【００１７】
次に、行先階表示の表示様式について図４を参照して説明する。
表示部４の画面１２は、上下の２つの領域に分けられる。図４に示す下側の領域は、行先階表示領域１３であり、その上側の領域は、メッセージ表示領域１４である。
行先階表示領域１３は、５行×４列のマトリックス状に分割された子行先階表示領域１５からなり、この子行先階表示領域１５内に行先階表示が表示される。なお、５行４列は１つの例として示したものであり、エレベータの仕様に従い、適切な数を設定すればよい。
【００１８】
また、メッセージ表示領域１４は、文字が表示される。このメッセージ表示領域１４は、行先階表示領域１３に表示されている内容に関するメッセージが表示されている。例えば、図４において、行先階表示領域１３に表示されている内容が「行先階」であることを示している。
【００１９】
次に、行先階表示領域１３に行先階表示を表示する方法について図５を参照して説明する。図５は、行先階表示が画面上に表示された様子を示す図である。
登録された行先階がない状態から説明を始める。新たに登録された行先階の行先階表示は、１行１列目の子行先階表示領域１５ａに表示される。続いて登録された行先階の行先階表示は、１行２列目の子行先階表示領域１５ｂに表示される。なお、このとき、１行１列目の子行先階表示領域１５ａに表示された行先階表示の行先階が新たに登録された行先階より上層の階の場合、新たに登録された行先階の行先階表示を子行先階表示領域１５ａに表示し、先に登録された行先階の行先階表示を子行先階表示領域１５ｂに表示する。行先階表示の位置は、あらかじめ設定されている。図５の例では、１行１列目から１行４列目まで右手方向に向かって行先階表示が順次表示され、１行目の４つの子行先階表示領域１５が行先階表示により満たされたとき、２行１列目から２行４列目まで順次行先階表示が表示される。このようにして最大２０個の行先階表示が表示される。
【００２０】
この図５の例において、登録行先階が階数の小さい階床から大きな階床になるように整列され、下の行から順次上の方の行に整列された登録行先階の順に行先階表示が表示されている。このように表示すると、行先階が下層ほど、画面１２でも下側に表示されているので、乗客が視覚的に理解しやすくなる。図５において、例えば、「９」階の登録が取り消された場合、「９」階より、右側および上側に表示された行先階表示が、「９」階が表示されていた子行先階表示領域１５を詰めるように移動されて表示される。
【００２１】
なお、下側の行の右側の列、すなわち１行４列目の子行先階表示領域１５から始めてもよい。また、上側の行の左側の列、すなわち５行１列目の子行先階表示領域１５から始めてもよい。また、上側の行の右側の列、すなわち５行４列目の子行先階表示領域１５から始めてもよい。
また、登録行先階が階数の大きい階床から小さい階床になるように整列されて、その順番に沿って画面上に上側の行の子行先階表示領域１５に行先階表示を表示してもよい。
また、行先階表示の表示を並べ替えるとき、並べ替える先の位置にすぐに行先階表示を移動せずに、少しずつ表示される位置をずらしながら表示してもよい。
【００２２】
次に、行先階表示を表示する手順について図６を参照して説明する。図６は、実施の形態１のエレベータ行先階表示装置を用いた行先階表示を表示する手順を示すフローチャートである。
ステップ１０１（初期画面表示）で、表示制御部５は、動作が始まると、画面１２に背景画面等の必要な初期画面を表示する。
ステップ１０２（行先階情報受信）で、通信部７は、エレベータ制御装置２から送信される今回の登録行先階情報を受信する。登録行先階情報には、現在行先階として登録されているすべての階床の情報が含まれている。
ステップ１０３（情報読込）で、登録行先階確認手段７１は、作業メモリ１０に記憶されている前回の登録行先階情報を読み込む。
ステップ１０４（情報保存）で、登録行先階確認手段７１は、ステップ１０２において受信した今回の登録行先階情報を次回のために前回の登録行先階情報として作業メモリ１０に保存する。
【００２３】
ステップ１０５（削除判定）で、登録行先階確認手段７１は、前回の登録行先階情報と今回の登録行先階情報とを比較して登録取消された行先階の情報が含まれているか否か判断し、表示削除の要不要を判定する。表示削除が必要なとき、ステップ１０６へ進む。表示削除が不要なとき、ステップ１０８へ進む。登録行先階の登録取消は、例えばその行先階にエレベータの乗りカゴが到着したときなどに行われる。
【００２４】
ステップ１０６（削除表示計算）で、表示位置算出手段７２は、登録取消された行先階の行先階表示の位置を算出する。次に、削除される位置が埋まるように残された登録行先階の行先階表示を移動する表示位置を求める。但し、登録取消された行先階の行先階表示が表示されていた位置が表示の並びの最後であったとき、表示の並べ替えは行わない。
【００２５】
ステップ１０７（削除表示）で、表示制御部５は、求められた表示位置に基づき、行先階表示を画面１２に表示する。そして、ステップ１０８へ進む。
ステップ１０８（追加判定）で、登録行先階確認手段７１は、前回の登録行先階情報と今回の登録行先階情報とを比較して新たに登録された行先階の情報が含まれているか否か判断し、表示の追加の要不要を判定する。表示の追加が必要なとき、ステップ１０９へ進み、表示の追加が不要のとき、ステップ１０２へ戻る。
ステップ１０９（追加表示計算）で、表示位置算出手段７２は、新たに登録された登録行先階も含んで階数が小さい階床から大きな階床に並ぶように追加表示の表示位置を求める。
ステップ１１０（追加表示）で、表示制御部５は、求められた表示位置に基づき、行先階表示を画面１２に追加表示する。表示の完了後ステップ１０２へ戻る。
【００２６】
このような行先階表示装置は、現在登録中の行先階の行先階表示だけがマトリックス状に整列されて表示されるので、小さな面積の画面に行先階を表示することができるとともに、乗客が容易に登録行先階の表示を確認することができる。このように表示画面を小さくし登録中の行先階の行先階表示だけが表示されるようにしても実用上問題にならないのは、階床数の多いエレベータであっても、かごの乗員数は限られており、乗員数と同程度の行先階の行先階表示が表示できれば十分であるからである。
なお、この行先階表示の表示において、通信部７がエレベータ制御装置２から登録行先階情報を受信する手順と行先階表示を表示する手順とは独立して実行できるので、並列して非同期に実行してもよい。
【００２７】
実施の形態２．
図７は、この発明の実施の形態２に係わる行先階表示装置の全体構成図である。図８は、実施の形態２の行先階表示装置のマイコンの機能ブロック図である。図９は、図７の表示部およびタッチパネルセンサを示す斜視図である。図１０は、実施の形態２において登録行先階の登録の取消の手順のフローチャートである。
【００２８】
この実施の形態２の行先階表示装置２０は、実施の形態１の行先階表示装置１にタッチパネルセンサ２１およびそのタッチパネルセンサ２１を制御するセンサ制御部２２を追加したことが異なっている。また、マイコン２３は、図８に示すように、タッチパネルセンサ２１に触れられて選択された行先階表示に係わる登録行先階の登録の取消をエレベータ制御装置２に要求する登録取消要求手段７３を有している。その他は実施の形態１の行先階表示装置１と同様であるので、同様な部分に同じ符号を付記して説明を省略する。
【００２９】
タッチパネルセンサ２１は、図９に示すように、表示部４の外側に接するようにして備えられ、乗客が触れた接触位置に係わる信号をセンサ制御部２２に送る。
センサ制御部２２は、接触位置に係わる信号からタッチパネルセンサ２１の接触座標をマイコン２３に送る。
登録取消要求手段７３は、行先階表示の表示位置および接触座標から行先階を特定し、乗客がその登録行先階の登録を取り消そうとしていると判断し、その登録行先階の登録を取り消すようにエレベータ制御装置２に要求する。
エレベータ制御装置２は、その要求に従い、登録行先階の登録を取り消して登録行先階情報を更新し、その後、登録行先階情報を行先階表示装置２０に送り返す。
行先階表示装置２０は、実施の形態１と同様に該当する行先階の行先階表示の表示を削除する。
【００３０】
次に、登録行先階の登録を取り消す手順について図１０を参照して説明する。図１０は、登録行先階の登録の取消の手順を示すフローチャートである。なお、この手順において２回間欠的にタッチパネルセンサ２１に触れたとき、登録取消要求が有効であると判断する例について説明するが、１回だけタッチパネルセンサ２１に触れただけでも、登録取消要求が有効であると判断するようにしてもよい。
【００３１】
ステップ２０１（入力有）で、センサ制御部２２は、タッチパネルセンサ２１からの操作入力を検出することにより、操作入力の有無を判断する。操作入力があったときステップ２０２へ進み、操作入力がないときステップ２０１へ戻る。
ステップ２０２（入力判定）で、登録取消要求手段７３は、今回の操作入力以前のあらかじめ定められた所定時間以内に操作入力が有ったか否かを判断し、以前に操作入力がなければ、ステップ２０１に戻り、以前に操作入力があればステップ２０３へ進む。２回間欠的に操作入力があった場合、登録取消要求に関する操作入力を有効と判断し、１回だけの操作入力の場合、誤って入力された操作入力と判断する。
【００３２】
ステップ２０３（座標計算）で、登録取消要求手段７３は、今回の操作入力と以前の操作入力のそれぞれにおいて触れられた接触座標をセンサ制御部２２から入手する。
ステップ２０４（行先階一致）で、登録取消要求手段７３は、今回の接触座標と以前の接触座標とからそれぞれの接触座標に表示されている行先階表示を特定する。次に、その行先階表示が同一であるか否かを判断する。同一のとき、ステップ２０５へ進み、異なるとき今回の操作入力において触れられた接触座標を作業メモリ１０に記憶してテップ２０１へ戻る。
ステップ２０５（取消要求）で、登録取消要求手段７３は、今回の操作入力が登録行先階の登録の取り消す要求であると判断し、エレベータ制御装置２に通信部７を介して、登録取消の要求を送信する。そして、ステップ２０１へ戻る。
エレベータ制御装置２は、登録取消の要求を受信すると、取消が要求された登録行先階の登録を取り消して登録行先階情報を更新し、行先階表示装置２０に更新された登録行先階情報を送信する。
【００３３】
各行先階表示装置２０は、この更新された登録行先階情報に基づき、登録が取消された行先階の行先階表示を削除する。（図６のステップ１０５からステップ１０７を参照。）
このような行先階表示装置は、誤って登録してしまった行先階の登録を取り消すことができるので、不要なエレベータの停止を低減し、運送効率、旅行時間を短縮することができる。
また、２度触れないと登録行先階の登録の取消と見なさないので、誤って１度だけ触れても登録行先階の登録が取り消されることがない。
【００３４】
実施の形態３．
図１１は、この発明の実施の形態３に係わる行先階表示装置の図面に表示される行先階表示の様子を示す図である。実施の形態３の行先階表示装置は、実施の形態１の行先階表示装置１と画面に表示される行先階表示の位置が異なっている。その他は実施の形態１の行先階表示装置１と同様であるので、同様な部分に同じ符号を付記して説明を省略する。
図１１に示すように、実施の形態３に係わる画面３０には、実施の形態１と同様に登録中の行先階の行先階表示が５行４列に整列されて表示されている。但し、それぞれの行に表示される行先階表示は、１列目から４列目に向かって表示位置が少しづつ階段状に上方にずれて表示されている。
このような行先階表示装置は、表示位置が階段状にずらされて行先階表示が表示されているので、行先階の上層下層の関係の印象が強くなり、行先階の視認性が良好になる。
【００３５】
実施の形態４．
図１２は、この発明の実施の形態４に係わる行先階表示装置の画面に表示される行先階表示の様子を示す図である。実施の形態４の行先階表示装置は、実施の形態１の行先階表示装置１と画面に表示される行先階表示の位置が異なっている。その他は実施の形態１の行先階表示装置１と同様であるので、同様な部分に同じ符号を付記して説明を省略する。
図１２に示すように、実施の形態４に係わる画面４０には、実施の形態１と同様に行先階表示が５行４列に整列されて表示される。但し、隣接して表示される行先階表示は、各行先階表示の行先階が近い階か否かに従い、隣接して表示される行先階表示の間の隙間の幅が可変されて表示される。近接した階のとき隙間が狭く、離れた階のとき隙間が広くなっている。例えば、図１２に示すように、「Ｂ１」階と「１」階、「３」階と「４」階は隣接しているので、一番隙間が狭くなっている。一方、「６」階と「９」階、「１１」階と「３４」階は離れた階なので、隙間が広くなっている。
このような行先階表示装置は、行先階の遠近に従い、隣接して表示される行先階表示の間の隙間の幅が可変されて表示されるので、階床遠近の様子を印象付けることができる。
【００３６】
実施の形態５．
図１３は、この発明の実施の形態５に係わる行先階表示装置の図面に表示される行先階表示の様子を示す図である。実施の形態５の行先階表示装置は、実施の形態１の行先階表示装置１と画面に表示される行先階表示の位置が異なっている。その他は実施の形態１の行先階表示装置１と同様であるので、同様な部分に同じ符号を付記して説明を省略する。
図１３に示すように、実施の形態５に係わる画面５０には、実施の形態１と同様に登録中の行先階の行先階表示を５行４列に整列して表示することができる。但し、隣接する行先階の行先階表示は、隣接して表示される。一方、隣接していない行先階の行先階表示を隣接する行先階表示として表示するとき、隣接する行先階表示の間に２つの階床が離れていることを示す表示、例えば、図１３に示すような中黒点が内側に描かれた四角形の図形が表示されている。例えば、「Ｂ１」階と「１」階、「３」階、「４」階、「５」階および「６」階、「１１」階と「１２」階は隣接する階床であるので、隣接して行先階表示が表示されている。一方、「１」階と「３」階、「６」階と「１１」階、「１２」階と「４２」階は隣接する階床でないので、間に中黒点が内側に描かれた四角形の図形が表示されている。
このような行先階表示装置は、離間した２つの登録中の行先階の行先階表示を隣接して表示するとき、行先階が離間していることを示す表示が間に表示されているので、階床の遠近を印象付けることができる。
【００３７】
実施の形態６．
図１４は、この発明の実施の形態６に係わる行先階表示装置の画面における表示の様子を示す図である。実施の形態６の行先階表示装置は、実施の形態１の行先階表示装置１と異なり、画面に行先階登録装置の登録表示部が設けられている。その他は実施の形態１の行先階表示装置１と同様であるので、同様な部分に同じ符号を付記して説明を省略する。
図１４に示すように、実施の形態６に係わる画面６０には、登録された行先階の行先階表示を４行４列と５行目の３つの子行先階表示領域とに整列して表示することができる。さらに、画面６０の行先階表示領域６２の登録表示部６３に行先階登録装置１１から送信される入力数字を表す表示を表示することができる。入力数字を示す表示は、四角形の図形中に２つの数字が描かれたものである。数字の色彩は、１色からなり、行先階登録装置１１からの信号により異なる色に変化される。
【００３８】
行先階登録装置の図示しないテンキーが押されて数字が入力されると、登録表示部６３にその数字が表示される。次に、テンキーが押されて数字が入力されると、２つの数字が並んで登録表示部６３に表示される。次に、登録用のテンキーが押されると、表示されている数字の色が変化し、登録されたことを表す。そして予め設定された時間が経過すると登録表示部６３の表示が削除される。例えば、２４階を入力する場合、「２」と「４」のキーが順番に押されるが、「２」のキーが入力されると登録表示部６３に「２」が表示され、続けて「４」が押されると、ふたつの入力を並べて「２４」が表示される。
このような行先階表示装置は、登録操作に係わる表示が表示される登録表示部が設けられているので、行先階登録装置の表示部を削減することができる。
なお、行先階登録装置と行先階表示装置は、隣接して設置されることが望ましい。離れて設置されると入力されたテンキーを確認するのに目線を大きく移動する必要があるためである。このため、行先階登録装置と行先階表示装置とを一体の装置として双方の機能を併せたひとつの装置とすることが望ましい。
【００３９】
なお、実施の形態４、５において、隣接していなくとも任意の階床、例えば２階床以上離れている場合のみ、隙間を入れたり、間に他の表示を表示したりしてもよい。
また、行先階表示の表示を削除するとき、行先階表示が点滅したり、色が変わったり、明るさが変化したりした後で削除してもよい。また、行先階表示を徐々に小さくしてから削除したり、一旦行先階表示を大きくして削除したりしてもよい。このようにすることにより、その階に停止したことを乗客に強く意識させる効果がある。
【図１】
0004668187.tif 000002
【図２】
0004668187.tif 000003
【図３】
0004668187.tif 000004
【図４】
0004668187.tif 000005
【図５】
0004668187.tif 000006
【図６】
0004668187.tif 000007
【図７】
0004668187.tif 000008
【図８】
0004668187.tif 000009
【図９】
0004668187.tif 000010
【図１０】
0004668187.tif 000011
【図１１】
0004668187.tif 000012
【図１２】
0004668187.tif 000013
【図１３】
0004668187.tif 000014
【図１４】
0004668187.tif 000015